(57)【特許請求の範囲】
【請求項１】
ワイヤレス電力伝送システムから漏えいする電磁界を模擬して発生する電磁界模擬装置であって、
交流信号を発生する信号発生器と、
この信号発生器の出力信号を増幅する増幅器と、
この増幅器の出力信号を電磁界として空間に放射する放射部と、
この放射部および前記増幅器の間に設けられた整合部と、
前記信号発生器、前記増幅器、前記放射部および前記整合部が収容される筐体と、
前記信号発生器、前記増幅器、前記放射部および前記整合部の少なくともいずれかに一端が電気的に接続されて、他端側が前記筐体の外部の空間に延出された、１方向に長い導電体と、
を備えたことを特徴とする電磁界模擬装置。
【請求項２】
前記導電体を複数備えたことを特徴とする請求項１に記載の電磁界模擬装置。
【請求項３】
前記導電体は、前記信号発生器、前記増幅器、前記放射部および前記整合部の少なくともいずれかに、リアクタンス回路、位相回路およびフィルタ回路の少なくともいずれかを介して接続されたことを特徴とする請求項１または請求項２に記載の電磁界模擬装置。
【請求項４】
前記放射部は、コイルで構成され、
前記導電体は、前記コイルの中心軸に概ね沿う方向に延出されたことを特徴とする請求項１から請求項３のいずれかに記載の電磁界模擬装置。
【請求項５】
前記導電体は、屈曲可能な可撓性を有することを特徴とする請求項１から請求項３のいずれかに記載の電磁界模擬装置。
【請求項６】
ワイヤレス電力伝送システムから漏えいする電磁界を模擬して発生する電磁界模擬装置であって、
交流信号を発生する信号発生器と、
この信号発生器の出力信号を増幅する増幅器と、
この増幅器の出力信号を電磁界として空間に放射する放射部と、
この放射部および前記増幅器の間に設けられた整合部と、
前記信号発生器、前記増幅器、前記放射部および前記整合部が収容される第１の筐体と、
前記信号発生器および前記増幅器を収容し、導電性を有する第２の筐体と、
一端が前記第２の筐体と物理的に接続されて、他端側が前記第１の筐体の外部の空間に延出された、１方向に長い導電体と、
を備えたことを特徴とする電磁界模擬装置。
【発明の詳細な説明】
【技術分野】
【０００１】
本発明は、ワイヤレス電力伝送システムから漏えいする電磁界を模擬して発生する電磁界模擬装置に関するものである。
【背景技術】
【０００２】
近年、携帯型情報端末や家電機器に充電用の電力をワイヤレス電力伝送により供給する中電力（数百Ｗ）のワイヤレス電力伝送システム(以下、適宜に「ＷＰＴシステム」と呼称する)が普及しつつあり、また、電気自動車に充電用の電力を供給する大電力（数ｋＷ）のＷＰＴシステムも、今後の実用化に向けて開発が進められており、このようなＷＰＴシステムにより、利用者が充電を行う際の利便性を格段に向上させることができる。
【０００３】
近時、ＷＰＴシステムから漏えいする電磁界が電子機器に及ぼす影響を評価することが必要とされている。このとき、ＷＰＴシステムには様々な構成のものがあるため、ＷＰＴシステムの実機が設置された実環境で影響評価を行うことは、期間およびコストの面で現実的ではない。そこで、ＷＰＴシステムから漏えいする電磁界を模擬して発生する電磁界模擬装置が求められる。
【０００４】
このような電磁界模擬装置に関連する技術として、従来、制御部によって高周波信号の周波数、振幅、位相、および波形を変化させることで、任意の電磁界分布を発生させ、任意の空間放射特性を実現する技術が知られている。この技術では、波長に比べて充分に微小なサイズの複数の電磁界放射部を配置し、制御部の動的な制御に応じて各電磁界放射部が放射する電磁界の重ね合わせの結果として、任意形状の電磁界分布を有する電磁界を発生させることができるとされている。
【先行技術文献】
【特許文献】
【０００５】
【特許文献１】特開２０１４−２２８３２号公報
【発明の概要】
【発明が解決しようとする課題】
【０００６】
さて、ＷＰＴシステムでは、送電装置の電源ケーブルを商用電源のコンセントに接続して電力を送電装置に供給するようにしており、送電装置に設けられた送電コイルから漏えいする電磁界に加えて、電源ケーブルから漏えいする電磁界も問題となる。しかしながら、前記従来の技術では、ＷＰＴシステムの送電装置から漏えいする電磁界を相応の精度で再現することができるものの、電源ケーブルから漏えいする電磁界を再現することはできないため、ＷＰＴシステムから漏えいする電磁界を模擬する精度を十分に高めることができないという問題があった。
【０００７】
特に、ＷＰＴシステムから漏えいする電磁界が電子機器に及ぼす影響を評価するにあたっては、漏えいする電磁界の強度のみではなくその軸成分も問題となることから、電磁界の強度だけでなく各方向の軸成分も精度よく再現することが望まれる。
【０００８】
本発明は、このような従来技術の問題点を解消するべく案出されたものであり、その主な目的は、ワイヤレス電力伝送システムから漏えいする電磁界を精度良く模擬することができ、特に、電磁界の強度のみならず軸成分も高い精度で再現することができるように構成された電磁界模擬装置を提供することにある。
【課題を解決するための手段】
【０００９】
本発明の電磁界模擬装置は、ワイヤレス電力伝送システムから漏えいする電磁界を模擬して発生する電磁界模擬装置であって、交流信号を発生する信号発生器と、この信号発生器の出力信号を増幅する増幅器と、この増幅器の出力信号を電磁界として空間に放射する放射部と、この放射部および前記増幅器の間に設けられた整合部と、前記信号発生器、前記増幅器、前記放射部および前記整合部が収容される筐体と、前記信号発生器、前記増幅器、前記放射部および前記整合部の少なくともいずれかに一端が電気的に接続されて、他端側が前記筐体の外部の空間に延出された、１方向に長い導電体と、を備えた構成とする。
また、本発明の電磁界模擬装置は、ワイヤレス電力伝送システムから漏えいする電磁界を模擬して発生する電磁界模擬装置であって、交流信号を発生する信号発生器と、この信号発生器の出力信号を増幅する増幅器と、この増幅器の出力信号を電磁界として空間に放射する放射部と、この放射部および前記増幅器の間に設けられた整合部と、前記信号発生器、前記増幅器、前記放射部および前記整合部が収容される第１の筐体と、前記信号発生器および前記増幅器の少なくとも一方を収容し、導電性を有する第２の筐体と、一端が前記第２の筐体と電気的に接続されて、他端側が前記第１の筐体の外部の空間に延出された、１方向に長い導電体と、を備えたことを構成とする。
【発明の効果】
【００１０】
本発明によれば、放射部から発生する電磁界に導電体から発生する電磁界が合成されることで、ワイヤレス電力伝送システムの送電装置およびこの送電装置に給電する電源ケーブルからそれぞれ漏えいする電磁界が合成された合成電磁界を再現することができる。このため、ワイヤレス電力伝送システムから漏えいする電磁界を精度良く模擬することができ、特に、電磁界の強度だけでなく軸成分も高い精度で再現することができる。
【図面の簡単な説明】
【００１１】
【図１】第１実施形態に係る電磁界模擬装置の斜視図
【図２】図１に示した電磁界模擬装置の概略構成図
【図３】模擬対象となるＷＰＴシステムの電源ケーブルの状況を示す説明図
【図４】本電磁界模擬装置からの距離に応じた磁界強度の変化状況を示すグラフ
【図５】第２実施形態に係る電磁界模擬装置の概略構成図
【発明を実施するための形態】
【００１２】
前記課題を解決するためになされた第１の発明は、ワイヤレス電力伝送システムから漏えいする電磁界を模擬して発生する電磁界模擬装置であって、交流信号を発生する信号発生器と、この信号発生器の出力信号を増幅する増幅器と、この増幅器の出力信号を電磁界として空間に放射する放射部と、この放射部および前記増幅器の間に設けられた整合部と、前記信号発生器、前記増幅器、前記放射部および前記整合部が収容される筐体と、前記信号発生器、前記増幅器、前記放射部および前記整合部の少なくともいずれかに一端が接続されて、他端側が前記筐体の外部の空間に延出された、１方向に長い導電体と、を備えた構成とする。
【００１３】
これによると、放射部から発生する電磁界に導電体から発生する電磁界が合成されることで、ワイヤレス電力伝送システムの送電装置およびこの送電装置に給電する電源ケーブルからそれぞれ漏えいする電磁界が合成された合成電磁界を再現することができる。このため、ワイヤレス電力伝送システムから漏えいする電磁界を精度良く模擬することができ、特に、電磁界の強度だけでなく軸成分も高い精度で再現することができる。
【００１４】
また、第２の発明は、前記導電体を複数備えた構成とする。
【００１５】
これによると、複数の導電体の各々から発生する電磁界が合成されることで、多様な軸成分を有する電磁界を再現することができる。このため、導電体の向きが制限された状態でも、ワイヤレス電力伝送システムから漏えいする電磁界を精度よく模擬することができる。
【００１６】
また、第３の発明は、前記導電体は、前記信号発生器、前記増幅器、前記放射部および前記整合部の少なくともいずれかに、リアクタンス回路、位相回路およびフィルタ回路の少なくともいずれかを介して接続された構成とする。
【００１７】
これによると、導電体の電気長や、導電体に流れる電流の周波数特性および位相などを変化させることができることから、導電体から発生する電磁界の強度および軸成分を高い自由度をもって調整することができる。このため、ワイヤレス電力伝送システムから漏えいする電磁界をより一層精度よく模擬することができる。
【００１８】
また、第４の発明は、前記放射部は、コイルで構成され、前記導電体は、前記コイルの中心軸に概ね沿う方向に延出された構成とする。
【００１９】
これによると、コイルのみでは十分に再現することが難しい方向の軸成分を導電体から発生する磁界により再現することができる。このため、ワイヤレス電力伝送システムから漏えいする電磁界をより一層精度よく模擬することができる。
【００２０】
また、第５の発明は、前記導電体は、屈曲可能な可撓性を有する構成とする。
【００２１】
これによると、導電体の向きを自由に変化させることができるため、導電体から発生する電磁界の軸成分を高い自由度をもって調整することができる。このため、簡単な構成で低コストに様々なワイヤレス電力伝送システムから漏えいする電磁界を模擬することができる。この場合、コイルに対する位置関係が、模擬対象となるワイヤレス電力伝送システムにおける電源ケーブルの送電コイルに対する位置関係と略同一となるように導電体の向きを調整するようにするとよい。
【００２２】
以下、本発明の実施の形態を、図面を参照しながら説明する。
【００２３】
（第１実施形態）
図１は、第１実施形態に係る電磁界模擬装置の斜視図である。図２は、図１に示した電磁界模擬装置の概略構成図である。なお、図１では、筐体４を透視して内部に収容された部品を示している。
【００２４】
この電磁界模擬装置は、送信部１と、整合部２と、コイル（放射部）３と、筐体４と、地線（導電体）５と、を備えている。
【００２５】
送信部１は、信号発生器６および増幅器７と、この信号発生器６および増幅器７を収容する筐体８とから構成されている。筐体８は、金属材で形成され、導電性を有している。
【００２６】
信号発生器６は、所定の周波数の高周波信号（交流信号）を発生するものであり、アナログ式またはディジタル式の発振回路を備えた発振器である。本実施形態では、模擬対象となるＷＰＴシステムの駆動周波数と略同一の周波数の高周波信号を発生する。増幅器７は、信号発生器６の出力信号を増幅するものであり、例えば、入力した信号をトランジスタ等のスイッチング動作を用いて増幅するものである。なお、模擬対象となるＷＰＴシステムで利用される周波数帯に応じて、送信部１を交換して使用するようにするとよい。
【００２７】
整合部２は、コイル３のインピーダンスを送信部１の出力に整合させるものである。この整合部２により送信部１とコイル３との間のインピーダンス整合を行うことで、送信部１の出力における反射による損失を小さくすることができ、送信部１の出力信号が効率よくコイル３に入力される。この整合部２は、コイル３の両端および送信部１に接続される回路構成を有し、インピーダンス整合を行うコンデンサが実装されている（図２参照）。なお、模擬対象となるＷＰＴシステムで利用される周波数に応じて、整合部２をコンデンサ定数が異なるものに交換して使用するようにするとよい。
【００２８】
コイル（放射部）３は、整合部２を介して送信部１から入力される高周波信号を電磁界として空間に放射するものである。本実施形態では、コイル３に、導線を平面上に渦巻き状に巻回した渦巻き型のものが用いられる。コイル３の導線には、導電率の高い銅材などによる単線やリッツ線などの線材を用いればよい。コイル３の導線の両端は整合部２に接続されている（図２参照）。このコイル３は、周波数に応じて、線材、直径や巻き数が異なるものに交換することで、数ｋＨｚから数ＧＨｚの周波数に対応することができる。
【００２９】
筐体４は、送信部１（信号発生器６および増幅器７）、整合部２、コイル３を内部に保持収容するものであり、絶縁性で比誘電率が小さくかつ所要の強度を有する樹脂材などで構成されている。
【００３０】
地線（導電体）５は、導電性の線材で構成された屈曲可能な可撓性を有するケーブルであり、送信部１の金属製の筐体８に一端が接続され、他端側が筐体４の外部の空間に延出されている。この地線５の他端側は、筐体４の外部の空間に露出し、解放されている。また、地線５は、屈曲可能な可撓性を有するため、向きを自由に調整することができる。また、地線５は、他の物体とできるだけ接触しないように設けられることが望ましく、例えば、地線５を筐体４からぶら下げるなどして、地線５の他端側が宙に浮く状態とするとよい。
【００３１】
また、地線５は、長く設けるようにするとよい。本電磁界模擬装置を稼働すると、信号発生器６と同一の周波数の高周波電流が地線５に流れ、地線５から電磁界が発生する。地線５を長くすると、地線５から発生する電磁界の強度が高くなり、ＷＰＴシステムから漏えいする電磁界を模擬する精度を高めることができる。
【００３２】
この地線５の長さは、望ましくは、信号発生器６の高周波信号の１／２０波長から１／４波長程度とするとよい。また、１／２０波長以下でも相応の効果はある。例えば、信号発生器６の高周波信号の周波数が６．７８ＭＨｚの場合、波長は４４ｍとなることから、１／２０波長で地線５の長さを設定すると約２．２ｍとなる。このように、地線５の長さは、信号発生器６の高周波信号の周波数に応じて設定され、模擬対象となるＷＰＴシステムの駆動周波数が異なるものに変更されると、その駆動周波数に応じて地線５の長さを調整するとよい。
【００３３】
なお、地線５は、導線を被覆したものの他、被覆のない裸線であってもよい。また、地線５には、平衡２線や同軸線などのケーブルを用いるようにしてもよい。
【００３４】
このように構成された本電磁界模擬装置を稼働すると、送信部１から高周波信号がコイル３に入力されて、コイル３から磁界が発生し、同時に地線５に高周波電流が流れるため、コイル３から発生する磁界の他に、地線５からも磁界が発生する。図１に示す例では、地線５を筐体４から垂らすようにしており、地線５は、垂直方向に延びた状態となっており、本電磁界模擬装置を稼働して地線５に高周波電流が流れると、地線５の周囲に磁力線の向きが水平方向となる磁界が発生する。
【００３５】
なお、本実施形態では、ＸＹＺ直交座標系が設定されている。Ｘ軸およびＹ軸は、コイル３の径方向であり、互いに直交する。また、Ｚ軸は、コイル３の中心軸の方向である。また、図１に示す例では、コイル３が水平状態に配置され、筐体４から垂らすように設けられた地線５はＺ軸方向に延びた状態となる。
【００３６】
また、本実施形態では、地線５の一端を送信部１の金属製の筐体８に接続する、すなわち、送信部１内の信号発生器６および増幅器７に接続するようにしたが、この地線５の一端は、信号発生器６、増幅器７、整合部２およびコイル３の少なくともいずれかに接続されていればよい。また、信号発生器６、増幅器７、および整合部２をグラウンド（基準電位）に接続するとともに、地線５の一端もグラウンドに接続するようにしてもよい（図２参照）。
【００３７】
なお、信号発生器６を、任意の周波数の高周波信号を発生する周波数可変型のもので構成して、図示しない制御部により信号発生器６の周波数を制御するようにしてもよい。また、増幅器７を、利得を調整可能なもので構成して、制御部により増幅器７の利得を制御するようにしてもよい。
【００３８】
次に、模擬対象となるＷＰＴシステムについて説明する。図３は、タブレット端末用のＷＰＴシステムの電源ケーブルの状況を示す説明図である。
【００３９】
このＷＰＴシステムは、ワイヤレス充電器（送電装置）２１でワイヤレス電力伝送によりタブレット端末２２を充電するものであり、ワイヤレス充電器（送電装置）２１の内部には送電コイル２３が設けられており、タブレット端末２２の内部には受電コイル２４が設けられている。タブレット端末２２をワイヤレス充電器２１に載置して、ワイヤレス充電器２１を稼働させると、送電コイル２３と受電コイル２４との間でワイヤレス電力伝送が行われて、タブレット端末２２が充電される。ワイヤレス充電器２１には電源ケーブル２５を商用電源のコンセント２６に接続することで電力が供給される。
【００４０】
ここで、ワイヤレス充電器２１を稼働すると、送電コイル２３から電磁界が発生する。また、ワイヤレス充電器２１からの伝導ノイズにより電源ケーブル２５に高周波電流が流れ、これにより電源ケーブル２５からも電磁界が発生する。このとき、電源ケーブル２５が、ワイヤレス充電器２１の駆動信号の１／４波長から１／２０波長程度の長さであると、電源ケーブル２５に高周波電流が流れやすい。例えば、周波数が６．７８ＭＨｚのとき、波長はおよそ４４ｍなので、電源線が長さ２．２ｍであれば、１／２０波長に相当する。
【００４１】
このようにＷＰＴシステムでは、稼働時に送電コイル２３から電磁界が発生してこの電磁界が室内に漏えいし、同時に電源ケーブル２５からも電磁界が発生してこの電磁界が室内に漏えいし、室内に漏えいする電磁界は、送電コイル２３から漏えいする電磁界と、電源ケーブル２５から漏えいする電磁界が合成されたものとなる。このため、このようなＷＰＴシステムを模擬する電磁界模擬装置では、送電コイル２３から漏えいする電磁界に加えて電源ケーブル２５から漏えいする電磁界も模擬する必要がある。
【００４２】
そこで、本実施形態では、前記のように、地線５を設けて、コイル３から電磁界を発生させると同時に地線５からも電磁界を発生させるようにした。そして、地線５に、屈曲可能な可撓性を有するケーブルを用いて、コイル３に対する位置関係が、模擬対象となるＷＰＴシステムにおける電源ケーブル２５の送電コイル２３に対する位置関係と略同一となるように地線５の向きを調整するようにする。特に、地線５を、模擬対象となるＷＰＴシステムの電源ケーブル２５と略同一の方向に延びた状態となるようにする。
【００４３】
これにより、コイル３から発生する電磁界により、ＷＰＴシステムの送電コイル２３から漏えいする電磁界を再現することができ、さらに、地線５から発生する電磁界により、ＷＰＴシステムの電源ケーブル２５から漏えいする電磁界を再現することができ、特に、電磁界の強度だけでなく各方向の軸成分も高い精度で再現することができる。
【００４４】
次に、地線５の作用について説明する。図４は、本電磁界模擬装置からの距離に応じた磁界強度の変化状況を示すグラフであり、図４（Ａ）に、地線５を有しない構成（比較例）の場合を示し、図４（Ｂ）に、地線５を有する本実施形態の構成の場合を示す。なお、図４では、距離の軸を対数目盛で示している。
【００４５】
本実施形態では、前記のように、地線５が設けられており、この地線５を筐体４から垂らすことで、地線５は、垂直方向（Ｚ軸方向）に延びた状態となる。そして、本電磁界模擬装置を稼働すると、地線５に高周波電流が流れ、地線５の周囲に、磁力線の向きが水平方向（Ｘ軸方向およびＹ軸方向）となる磁界が発生する。
【００４６】
ここで、地線５を有しない構成、および地線５を有する本実施形態の構成の各々で、電磁界模擬装置から発生する磁界の強度を測定し、その測定結果を図４に示す。本実施形態では、図１に示したように、ＸＹＺ直交座標系が設定されており、Ｘ軸方向に観測点を移動させて磁界強度を測定した。なお、Ｘ軸およびＹ軸は、コイル３の径方向であり、互いに直交する。また、Ｚ軸は、コイル３の中心軸の方向である。
【００４７】
図４に示すグラフから明らかなように、地線５を設けると、発生する磁界の特性が大きく変化する。具体的には、図４（Ｂ）に示すように、地線を有する本実施形態の場合には、図４（Ａ）に示すように、地線を有しない比較例の場合と比較して、Ｙ軸成分の磁界強度が高くなる。また、磁界強度の減衰特性も全体的に変化し、図４（Ｂ）に示す本実施形態の場合には、図４（Ａ）に示す比較例の場合と比較して、減衰曲線の傾きが小さくなる。
【００４８】
このように、地線５を設けると、発生する磁界の特性を大きく変化させることができ、この磁界の特性は、図３に示したように、ＷＰＴシステムの送電コイル２３および電源ケーブル２５からそれぞれ漏えいする電磁界が合成された合成電磁界と近似したものとなり、特に、磁界の強度だけでなくＸＹＺ直交座標系の各軸成分も高い精度で再現することができる。
【００４９】
以上のように、本実施形態では、交流信号を発生する信号発生器６と、この信号発生器６の出力信号を増幅する増幅器７と、この増幅器７の出力信号を電磁界として空間に放射するコイル（放射部）３と、このコイル３および増幅器７の間に設けられた整合部２と、信号発生器６、増幅器７、コイル３および整合部２が収容される筐体４と、信号発生器６、増幅器７、コイル３および整合部２の少なくともいずれかに一端が接続されて、他端側が筐体４の外部の空間に延出された地線（１方向に長い導電体）５と、を備えたものとした。
【００５０】
これによると、コイル３から発生する電磁界に地線５から発生する電磁界が合成されることで、ＷＰＴシステムの送電装置およびこの送電装置に給電する電源ケーブルからそれぞれ漏えいする電磁界が合成された合成電磁界を再現することができる。このため、ＷＰＴシステムから漏えいする電磁界を精度良く模擬することができ、特に、電磁界の強度だけでなく各方向の軸成分も高い精度で再現することができる。
【００５１】
また、本実施形態では、地線（導電体）５が、コイル３の中心軸に概ね沿う方向に延出されたものとした。これにより、コイル３のみでは十分に再現することが難しい方向の軸成分を地線５から発生する磁界により再現することができる。このため、ＷＰＴシステムから漏えいする電磁界をより一層精度よく模擬することができる。
【００５２】
また、本実施形態では、地線（導電体）５が、屈曲可能な可撓性を有するものとした。これにより、地線５の向きを自由に変化させることができるため、地線５から発生する電磁界の軸成分を高い自由度をもって調整することができる。このため、簡単な構成で低コストに様々なＷＰＴシステムから漏えいする電磁界を模擬することができる。
【００５３】
（第２実施形態）
次に、第２実施形態に係る電磁界模擬装置について説明する。なお、ここで特に言及しない点は前記の実施形態と同様である。図５は、第２実施形態に係る電磁界模擬装置の概略構成図である。
【００５４】
この第２実施形態に係る電磁界模擬装置は、第１および第２の２本の地線３１，３２を備えている。さらに、この電磁界模擬装置は、第１および第２のリアクタンス回路３３，３４および第１および第２の位相回路３５，３６を備えている。第１の地線３１は、第１のリアクタンス回路３３および第１の位相回路３５を介してグラウンドに接続されている。第２の地線３２は、第２のリアクタンス回路３４および第２の位相回路３６を介してグラウンドに接続されている。
【００５５】
なお、図５に示した例では、２本の地線３１，３２を設けたが、地線を３本以上設けることも可能である。また、図５に示した例では、地線とグラウンドとの間に、リアクタンス回路および位相回路を配置したが、これに加えてフィルタ回路を配置するようにしてもよい。また、図５に示した例では、リアクタンス回路および移相回路の両方を地線とグラウンドとの間に配置したが、リアクタンス回路および移相回路の一方を地線とグラウンドとの間に配置してもよい。
【００５６】
以上のように、本実施形態では、地線（導電体）３１，３２を複数本備えている。これにより、複数の地線３１，３２の各々から発生する電磁界が合成されることで、多様な軸成分を有する電磁界を再現することができる。このため、地線３１，３２の向きが制限された状態でも、ＷＰＴシステムの電源ケーブルから漏えいする電磁界を精度よく模擬することができる。例えば、２本の地線３１，３２の向きが、ＷＰＴシステムの電源ケーブルの向きと大きく異なる状態でも、２本の地線３１，３２の各々から発生する電磁界が合成されることで、ＷＰＴシステムの電源ケーブルから漏えいする電磁界を精度よく再現することができる。
【００５７】
また、本実施形態では、地線（導電体）３１，３２が、信号発生器６、増幅器７、コイル３および整合部２の少なくともいずれかに、リアクタンス回路３３，３４、位相回路３５，３６およびフィルタ回路の少なくともいずれかを介して接続された構成とした。これにより、地線の電気長や、地線３１，３２に流れる電流の周波数特性および位相などを変化させることができることから、地線３１，３２から発生する電磁界の強度および軸成分を高い自由度をもって調整することができる。このため、ＷＰＴシステムから漏えいする電磁界をより一層精度よく模擬することができる。
【００５８】
以上、本発明を特定の実施形態に基づいて説明したが、これらの実施形態はあくまでも例示であって、本発明はこれらの実施形態によって限定されるものではない。また、上記実施形態に示した本発明に係る電磁界模擬装置の各構成要素は、必ずしも全てが必須ではなく、少なくとも本発明の範囲を逸脱しない限りにおいて適宜取捨選択することが可能である。
【００５９】
例えば、前記の各実施形態では、導電体としての地線に、屈曲可能な可撓性を有するケーブルを用いるようにしたが、本発明における導電体は、このような可撓性を有するものに限定されない。本発明における導電体は、可撓性がなくても１方向に長いものであればよく、例えば、略直線上に延びた部分を有する棒状または線状の形態をなすものであればよい。
【００６０】
また、前記の第２実施形態では、地線を複数本設けて、各地線とグラウンドとの間にリアクタンス回路および位相回路を配置したが、前記の第１実施形態と同様に、地線を１本設けた構成でリアクタンス回路および位相回路を設けるようにしてもよい。
【産業上の利用可能性】
【００６１】
本発明に係る電磁界模擬装置は、ワイヤレス電力伝送システムから漏えいする電磁界を精度良く模擬することができる効果を有し、ワイヤレス電力伝送システムから漏えいする電磁界を模擬して発生する電磁界模擬装置などとして有用である。
【符号の説明】
【００６２】
１  送信部
２  整合部
３  コイル
４  筐体
５  地線
６  信号発生器
７  増幅器
８  筐体
３１，３２  地線
３３，３４  リアクタンス回路
３５，３６  位相回路
【図１】
0006501587.tif 000002
【図２】
0006501587.tif 000003
【図３】
0006501587.tif 000004
【図４】
0006501587.tif 000005
【図５】
0006501587.tif 000006